(57)【特許請求の範囲】
【請求項１】
標準電波を受信する受信回路と、時計機能を有する制御回路と、前記時計機能による時刻を表示する表示部と、前記制御回路および表示部に給電する電源回路とを備え、前記制御回路は、受信回路が受信した標準電波に基づいて前記時刻を合わせ、前記電源回路は、交流を直流に変換するインバータ回路と、電池を用いる直流電源回路とを有し、前記受信回路が標準電波を受信している期間は前記インバータ回路の動作を停止させるとともに直流電源回路によって給電を行い、標準電波を受信している期間中は前記表示部を間欠的に動作させる標準電波受信機能付き電気機器であって、
前記標準電波の時刻データのビット数を除算したときに余り値が得られる整数値に対応する時間間隔にて、前記表示部を間欠的に動作させ、
前記標準電波の時刻データを連続して複数個受信し、先に受信した第１の時刻データのビット列において、前記表示部を間欠動作させた時刻におけるビット情報を無効ビットとして処理し、続いて受信した第２の時刻データのビット列において前記無効ビットとして処理したビット順位に位置するビット情報を有効とし、
第２の時刻データにおける前記表示部の間欠動作時のビット情報を無効とする一方、この第２の時刻データの無効ビットに代えて、前記第１の時刻データの有効ビットを当てはめて、複数個の時刻データに基づいて時刻を合わせることを特徴とする標準電波受信機能付き電気機器。
【発明の詳細な説明】
【０００１】
【発明の属する技術分野】
本発明は、標準電波により時計を合わせる機能を備えた標準電波の受信機能を有する電気機器に関し、一例として標準電波により時計合わせ機能を有するタイムレコーダに関する。
【０００２】
【従来の技術】
近時、標準電波を利用して時刻を合わせる電気機器が知られている。この電気機器の一例としてタイムレコーダがあるが、このタイムレコーダに標準電波によって時計合わせ機能を持たせることが考えられている。
【０００３】
この標準電波により時計合わせ機能を持つタイムレコーダは、標準電波を受信する受信器と、受信器で受信した標準電波から時計データを読み出すインターフェース回路と、インターフェース回路で読み出した時計データに基づいてタイムレコーダが持つ時計データを修正する修正手段を備えている。
【０００４】
この修正手段は、通常タイムレコーダがメモリに記憶する時計データを標準電波の時計データにより書き換えるプログラムで通常構成され、このプログラムは、所定の時間になると、標準電波を受信して新しい時計データをＲＡＭ等のメモリに一時的に記憶し、既にタイムレコーダが記憶している旧い時計データをインターフェース回路から出力される新しい時計データに書き換えるようになっている。
【０００５】
【発明が解決しようとする課題】
しかしながら、タイムレコーダには、出勤・退社時間等を印字する印字部や入力ボタンやモニター等が備えられており、これらの入力ボタンやモニターのＯＮ／ＯＦＦ信号や印字部の駆動信号は、標準電波の出力に比べて非常に大きいため、受信した標準電波の時計データが、これらの大電流の影響を受けて誤ることを考慮する必要がある。
【０００６】
そこで、タイムレコーダの標準電波の受信機能以外の機能を停止させて標準電波の受信感度を高めることが考えられるが、タイムレコーダの受信機能以外の機能を停止させると、事情を知らないユーザーが故障であると誤解することも考慮する必要がある。
【０００７】
この発明は、このような事情に鑑みてなされたものであり、微弱な標準電波を受信して正確な時計合わせを行うと共に、この時計合わせの際に、ユーザーに対して故障と誤認させることなく、標準電波に基づいて時計合わせを行う標準電波の受信機能を有する電気機器を提供することを課題とする。
【０００８】
【課題を解決するための手段】
上記目的を達成するために、請求項１の発明は、標準電波を受信する受信回路と、時計機能を有する制御回路と、前記時計機能による時刻を表示する表示部と、前記制御回路および表示部に給電する電源回路とを備え、前記制御回路は、受信回路が受信した標準電波に基づいて前記時刻を合わせ、前記電源回路は、交流を直流に変換するインバータ回路と、電池を用いる直流電源回路とを有し、前記受信回路が標準電波を受信している期間は前記インバータ回路の動作を停止させるとともに直流電源回路によって給電を行い、標準電波を受信している期間中は前記表示部を間欠的に動作させる標準電波受信機能付き電気機器であって、
前記標準電波の時刻データのビット数を除算したときに余り値が得られる整数値に対応する時間間隔にて、前記表示部を間欠的に動作させ、
前記標準電波の時刻データを連続して複数個受信し、先に受信した第１の時刻データのビット列において、前記表示部を間欠動作させた時刻におけるビット情報を無効ビットとして処理し、続いて受信した第２の時刻データのビット列において前記無効ビットとして処理したビット順位に位置するビット情報を有効とし、
第２の時刻データにおける前記表示部の間欠動作時のビット情報を無効とする一方、この第２の時刻データの無効ビットに代えて、前記第１の時刻データの有効ビットを当てはめて、複数個の時刻データに基づいて時刻を合わせることを特徴とする。
【００１０】
【発明の実施の形態】
以下、本発明の実施の形態にかかる標準電波受信機能付き電気機器を、図面を参照にして説明する。
【００１１】
図１は、標準電波受信機能付き電気機器としてのタイムレコーダのブロック図を示す。この電気機器にはタイムレコーダ以外の時計機能付き電気機器が含まれる。
【００１２】
このタイムレコーダ１は、電源回路２と、制御回路３と、表示部４と、印字部５と、入力部６と、受信回路７とを備えている。
【００１３】
電源回路２には、家庭用コンセントから電力を受けるコンセント８が延びており、コンセント８は電源回路２に接続されている。
【００１４】
電源回路２は、家庭用配電線の交流を直流に変換するＡＣ／ＤＣ変換回路及び変換された直流電圧を制御回路３等のために所定電圧を変換するＤＣ／ＤＣ変換器を備えたインバータ回路９と、コンセント８が外れたときに制御回路３に給電する電池を用いる直流電源回路１０とを有している。
【００１５】
インバータ回路９は制御回路３並びに表示部４及び印字部５に給電するときに用いられる。直流電源回路１０は、受信回路７で標準電波を受信するときにも用いられ、直流電源回路１０は制御回路３と受信回路７に給電する。
【００１６】
インバータ回路９から電源電流を得るときには、直流電源回路１０のスイッチ回路１１をオフにする。このスイッチ回路１１は、例えば常閉接点を用い、インバータ回路９から制御回路３に給電するときには、制御回路３からスイッチ回路１１に信号を送ってスイッチ回路１１をオフとする。
【００１７】
標準電波を受信するときには、制御回路３がインバータ回路９のスイッチ回路１２をオフにする。スイッチ回路１２は、例えば、常閉接点を用い、制御回路３自身の持つ時計機能により標準電波を受信する時刻になったら、標準電波受信モードになって、インバータ回路９からの給電を停止するように、スイッチ回路１２をオフとする。
【００１８】
この実施の形態において、タイムレコーダ１の主機能は、ＬＣＤ表示部４による時刻表示と印字部５および入力部６の印字機能であるが、タイムレコーダ１以外の電気機器では、受信回路７および制御回路３による時刻データの受信機能以外の機能を主機能とする。
【００１９】
これによって、インバータ回路９のスイッチング動作による受信電波の乱れを防止する。１３、１４はスイッチ回路１１、１２を制御するための信号線であり、１５〜１７は給電線である。ＬＣＤ表示部４への発光制御の給電は信号線１８により行う。１９は入力部６からの信号線、２０は印字部５と制御回路３との信号線であり、２１は受信回路７からの信号線である。
【００２０】
制御回路３は、マイクロコンピュータとメモリ及びインターフェース回路を備えており、印字部５により出勤・退勤記録をカードに印字するための印字処理プログラムと、時計を表示するための時計表示プログラムと、表示部４の制御プログラム及びその他の動作に必要なプログラム並びにデータをメモリに記憶している。
【００２１】
ＬＣＤ表示部４は、液晶表示器からなるものであり、制御回路３からの命令により、各プログラムにより出力される表示文字・数字或いは図形を表示し、表示のための電源電力は制御回路３から給電される。
【００２２】
印字部５は、タイムレコーダの外層ケースのカード挿入口の奥部に設けられている。印字部５は、社員の出勤・退勤を記録するカードを案内するガイドと、ガイドに保持される支持プレートと、ワイヤドット型の印字ヘッドと、インクリボンの供給機構とを備えている。
【００２３】
支持プレートはガイドに沿ってタイムカードを上下方向に送る送り機構と、この送り機構を駆動するモーターとに連携している。支持プレートの送り機構は例えば、支持プレート側に上下方向に延びるラックを設け、ガイドに固定したモーターにラックに噛み合うピニオンを設ける構成とし、日が変わるごとに支持プレートを例えば一行分下に移動させる。
【００２４】
支持プレートは、カードを検出する透過型の光センサを複数個備えており、カードに開口された複数個の孔の検知信号を制御回路３に出力し、制御回路３は印字プログラムに基づいて印字ヘッドに時刻印字命令を出力する。印字ヘッドはこれによりカードの所定の日時記入欄に印字する。
【００２５】
入力部６は、制御回路３が動作する各プログラムを適正に制御するパラメータを設定したり或いは実行命令を実行させるために、図示しない操作キー等の入力命令を制御回路３に送信する。
【００２６】
受信回路７は、アンテナ２２から標準電波を受信して時刻データのビット列に変換する機能を有するタイムコード受信用ＬＳＩが用いられる。受信回路７は、制御回路３が持つ時計機能により、予め設定された時刻に到達すると、上述のように起動して標準電波を受信し、標準電波の時刻データのビット列を制御回路３に出力する。
【００２７】
制御回路３では、複数個の時刻データのビット列を受信し、複数個の時刻データから正確な標準時刻を決める。標準電波の時刻データを受信しているときに、制御回路３は間欠的にＬＣＤ表示部４を発光させ、標準電波受信中であることを表示する。
【００２８】
次に、この標準電波の時刻データを複数回受信して時計合わせを行う方法について説明する。
【００２９】
まず、制御回路３の時計機能により時計合わせを行う時刻になったら、スイッチ回路１２をオフしてインバータ回路９を停止させ、直流電源回路１０からの給電により、制御回路３および受信回路７を動作させる。
【００３０】
この実施の形態では、３個の時刻データを取得して標準電波の時刻に合わせる。３個の時刻データを取り込む場合には、制御回路３は、少なくとも３分間インバータ回路９を停止する。すなわち、標準電波の時刻データは、毎秒１ビットを表す時刻データを６０ビット連ねた合計６０ビットで構成されている。また、３つの時刻データを取得する場合、時刻データの途中で受信が開始されることが多いので、少なくとも３分間標準電波を受信する必要がある。
【００３１】
この発明では、この標準電波の受信期間において間欠的にＬＣＤ表示部４に標準電波受信中であることを表示し、タイムレコーダ１が故障していないことを表示する。このときのＬＣＤ表示部４を動作させるために、直流電源回路１０が用いられ、制御回路３からＬＣＤ表示部４への制御信号とともに制御回路３から送信される。
【００３２】
勿論、ＬＣＤ表示部４を動作させる代わりに、ＬＥＤ等をタイムレコーダ１のケースに設けてＬＥＤを発光させてもよい。
【００３３】
ＬＣＤ表示部４を間欠的に動作させて標準電波受信中であることを表示する場合、時刻データのビット数を除算した場合に余り値が生ずる時間間隔で表示を行う。
【００３４】
この実施の形態では、１個の時刻データを表す６０秒間において、例えば１７秒を間欠動作時間の時間間隔とする。１７秒ごとにＬＣＤ表示部４の発光表示を行う場合、ＬＣＤ表示部４の発光電流のために受信電波が影響を受けている可能性があるので、６０ビットの時刻データは１７秒ごとに無効として扱うのが望ましい。
【００３５】
また、２番目の時刻データの無効ビットについては、整数６０を整数１７で除算した場合の余り値は９であるから、２番目の時刻データの８番目が無効となり、以後１７ビットごとに無効ビットが発生することとなる。
【００３６】
標準電波は、年月日曜日時分を表すデータが、分・時・月・日・年・曜日というビット列の順序で表されるため、連続する２個の時刻データにおいて、分以後の時日月年を表すデータは大きく変化することはない。すなわち、時、日、月、年が変化する場合を除けば、第２の時刻データにおいて現在が何分かを表すビット列以外は、第１の時刻データと同じビット列であると見なすことができる。
【００３７】
したがって、少なくとも連続する２個の時刻データを用いれば、時刻合わせを正確に行うことができる。また、時刻データのビットは、１秒ごとに送信されてくるので、１つの時刻データのビット列の開始を表すマーカーからのビットの順位により、何分何秒かというデータを得ることができる。
【００３８】
次に、図１を用いて複数個の時刻データから正確な時刻を得る際のビット列の決定について説明する。
【００３９】
受信回路７が標準電波受信状態にあるとき、時刻データの開始マーカを受信したときに、１７秒ごとにＬＣＤ表示部４に「標準電波受信中」という表示を１秒間出力する。時刻データの開始マーカーから６０秒後のビット列までそろった最初の時刻データを受信した後に、次の時刻データを続けて受信する。
【００４０】
次の時刻データを受信しているときも、最初の時刻データの開始マーカーから１７秒ごとにＬＣＤ表示部４に「標準電波受信中」であることを表示すると、第２の時刻データのビット列においては開始マーカーから８番目のビットのときおよび以後１７ビットごとに、ＬＣＤ表示部４が表示動作を行うので、８番目のビットおよび以後１７ビットごとのビットが無効ビットとされる。
【００４１】
更に、第３の時刻データでは、開始マーカーから１６個目のビットおよび以後１７ビットごとのビットが無効ビットとされる。
【００４２】
この３個の時刻データのビット列においては、受信時間が３分程度の短時間であるので、時、日、月、年、曜日等は、これらのデータの変わり目以外の時には、少なくとも２個の時刻データの有効ビットを用いることができる。
【００４３】
また、時、日、月、年、曜日が変化するときには、２個の時刻データの有効ビットに基づいて変化前後の時、日、月、年、曜日を制御回路３の演算処理により推定できる。
【００４４】
従って、このタイムレコーダ１によれば、標準電波の受信中において、タイムレコーダの主機能を停止させていても、標準電波の受信中であることをＬＣＤ表示部４に表示するので、ユーザーがタイムレコーダを故障中であると誤認することが防止される。
【００４５】
【発明の効果】
本願の請求項１の標準電波受信機能付き電気機器によれば、標準電波の受信中でも標準電波に影響を及ぼす表示部を所定の間隔で動作させるので、ユーザーが故障であると誤認することが防止される。
さらに、標準電波による時刻データは６０秒間に６０個のビットデータにより構成されるので、これを剰余が生ずる整数値により除算すれば、所定の余りが得られる。複数個の時刻データを受信するときに、整数値に相当する時刻（秒）に主機能を間欠的に動作すれば、最初の時刻データと次の時刻データとでは、無効ビットがずれるので、年月日時が変化するとき以外は、分以外のデータを表すビットは２つの時刻データの有効ビットにより決定できることとなる。
【図面の簡単な説明】
【図１】本発明の実施の形態にかかるタイムレコーダのブロック図。
【図２】図２は、複数個の標準電波の時刻データを表すビット列において、所定の整数値に対応する時刻（秒）に主機能を動作させたときの無効ビットと有効ビットを表す図。
【符号の説明】
１  タイムレコーダ（電気機器）
２  電源回路
３  制御回路
４  ＬＣＤ表示部
５  印字部
６  入力部
７  受信回路
９  インバータ回路
１０  直流電源回路
【図１】
0003861699.tif 000002
【図２】
0003861699.tif 000003